(57)【要約】      （修正有）【課題】下方に開放されたデッキの内部に、縦軸駆動される複数の刈刃を横方向に並列装備してあるモーアにおいて、高い効率で細断を行えるようにする。【解決手段】デッキ７の内部に刈刃８，９の先端回動軌跡に沿った平面形状が略円形の切断室２４，２５を各刈刃８，９ごとに形成し、隣接する刈刃８，９を互いに逆向きに回転駆動するとともに、隣接する刈刃８，９の切断室２４，２５の間に刈草の流動通過を許容する開口２６を形成し、各切断室２４，２５の周壁と上壁とを、上方ほど切断室中心に近づくよう傾斜されたコーナー案内面で接続してある。【選択図】図３
2007330170.tif 000002
【特許請求の範囲】
【請求項１】
下方に開放されたデッキの内部に、縦軸駆動される複数の刈刃を横方向に並列装備してあるモーアにおいて、
前記デッキの内部に刈刃の先端回動軌跡に沿った平面形状が略円形の切断室を各刈刃ごとに形成し、隣接する刈刃を互いに逆向きに回転駆動するとともに、隣接する刈刃の切断室の間に刈草の流動通過を許容する開口を形成し、各切断室の周壁と上壁とを、上方ほど切断室中心に近づくよう傾斜されたコーナー案内面で接続してあることを特徴とするモーア。
【請求項２】
一方の切断室における周壁の前記開口に臨む周方向端部に、一方の刈刃で飛散される刈草を他方の刈刃の切断室に導く周部案内面を設けてある請求項１記載のモーア。
【請求項３】
前記案内面の延長線が他方の刈刃の回転軸心の近くに向かうよう設定してある請求項２記載のモーア。
【請求項４】
下方に開放されたデッキの内部に、縦軸駆動される複数の刈刃を横方向に並列装備してあるモーアにおいて、
前記デッキの内部に刈刃の先端回動軌跡に沿った平面形状が略円形の切断室を各刈刃ごとに形成し、隣接する刈刃を互いに逆向きに回転駆動するとともに、隣接する刈刃の切断室の間に、刈草の流動通過を許容する開口を形成し、一方の切断室の横外端に刈草排出口を備えてあることを特徴とするモーア。
【発明の詳細な説明】
【技術分野】
【０００１】
本発明は、下方に開放されたデッキの内部に、縦軸駆動される複数の刈刃を横方向に並列装備したモーアに係り、特には、刈取った草をデッキ内で細断して刈り跡に放置してゆくマルチング作業を行うに好適なモーアに関する。
【背景技術】
【０００２】
上記モーアとしては、例えば、特許文献１あるいは特許文献２に示されているように、デッキの横端に刈草排出口を備えてサイドディスチャージ仕様に構成されたモーアに細断用バッフルを装着し、各刈刃の先端回動軌跡に沿った略円形の切断室を形成することで、マルチング作業を行えるよう構成したものが知られている。
【特許文献１】特開２００４−４１０６０号公報（図９）
【特許文献１】特開２００４−３５０６３０号公報（図５及び図６）
【発明の開示】
【発明が解決しようとする課題】
【０００３】
特許文献１に記載のモーアにおいては、細断用バッフルを装着して並列形成した複数の切断室はそれぞれ隔絶されており、各切断室ごとで刈草を持ち回り細断するよう構成されている。特許文献２に記載のモーアにおいては、細断用バッフルを装着して並列形成した複数の切断室は開口を介して互いに連通されているが、各切断室の刈草が隣接する切断室に流出しないように細断用バッフルにおける開口部位の形状が設定されている。
【０００４】
このように、従来のマルチング作業においては、各切断室ごとで刈草を持ち回り切断することで刈草を繰り返し切断するようにしているのであるが、刈草は刈刃によって生起された切断風にのって刈刃回動方向に流動するので、刈刃と同方向に移動している刈草を切断することになり、充分に失速しない刈草を効率よく細断することが困難となるものであった。
【０００５】
本発明は、このような点に着目してなされたものであって、より効率の高い細断を行うことのできるモーアを提供することを主たる目的としている。
【課題を解決するための手段】
【０００６】
第１の発明は、下方に開放されたデッキの内部に、縦軸駆動される複数の刈刃を横方向に並列装備してあるモーアにおいて、
前記デッキの内部に刈刃の先端回動軌跡に沿った平面形状が略円形の切断室を各刈刃ごとに形成し、隣接する刈刃を互いに逆向きに回転駆動するとともに、隣接する刈刃の切断室の間に刈草の流動通過を許容する開口を形成し、各切断室の周壁と上壁とを、上方ほど切断室中心に近づくよう傾斜されたコーナー案内面で接続してあることを特徴とする。
【０００７】
この構成によると、各切断室で切断された刈草は刈刃の回転によって持ち回り回動しながら繰り返し細断される。この場合、刈刃によって生起された切断風に乗った刈草は周壁に沿って周方向に流動しながらコーナー案内面に案内されて上壁に向かい、失速して落下して再び刈刃の切断作用を受ける。
【０００８】
切断室を回動する刈草の一部は開口を経て他方の切断室に流入し、他方の切断室で回動している刈刃の切断作用を受ける。この場合、流入した切断室の刈刃は逆向きに回動しているので、流入してきた刈草は他方の切断室を回動する切断風に交差するようにぶつかって失速するとともに、他方の切断室で流動している刈草も流入してきた刈草とのぶつかりによって失速して再度の切断作用を受けやすくなる。
【０００９】
従って、第１の発明によると、刈草は当初に切断された切断室のみならず隣接する他方の切断室においても逆回転する刈刃でも細断され、互いに逆向きに回動する刈刃によって効率のよい切断作用を受けることになり、各切断室で独自に切断作用を受ける場合に比べて効率の良い細断が行える。
【００１０】
第２の発明は、上記第１の発明において、
一方の切断室における周壁内面の前記開口に臨む周方向端部に、一方の刈刃で飛散される刈草を他方の刈刃の切断室に導く周部案内面を設けてあるものである。
【００１１】
この構成によると、一方の切断室で切断した刈草を他方の切断室における所定位置に所定の方向から流入させることができ、逆回転している他方の刈刃で好適に切断することができる。
【００１２】
第３の発明は、上記第２の発明において、
前記周部案内面の延長線が他方の刈刃の回転軸心の近くに向かうよう設定してあるものである。
【００１３】
この構成によると、一方の切断室から他方の切断室に流入した刈草は他方の切断室で逆向きに流動している切断風にその流動方向と略直交するようにぶつかり、刈草の失速が促進されて刈刃による切断作用を効率よく与えることができ、細断効率の向上に有効となる。
【００１４】
第４の発明は、下方に開放されたデッキの内部に、縦軸駆動される複数の刈刃を横方向に並列装備してあるモーアにおいて、
前記デッキの内部に刈刃の先端回動軌跡に沿った平面形状が略円形の切断室を各刈刃ごとに形成し、隣接する刈刃を互いに逆向きに回転駆動するとともに、隣接する刈刃の切断室の間に刈草の流動通過を許容する開口を形成し、一方の切断室の横外端に刈草排出口を備えてあることを特徴とする。
【００１５】
この構成によると、一方の切断室を回動する刈草の一部は開口を経て他方の切断室に流入し、他方の切断室で回動している刈刃の切断作用を受ける。この場合、流入した切断室の刈刃は逆向きに回動しているので、流入してきた刈草は他方の切断室を回動する切断風に交差するようにぶつかって失速するとともに、他方の切断室で流動している刈草も流入してきた刈草とのぶつかりによって失速して切断作用を受けやすくなる。
【００１６】
このようにして切断および細断された刈草は一方の切断室の横外端に流動して刈草排出口から排出され、刈り跡の横外側に放置されてゆく。
【００１７】
従って、第４の発明によると、互いに逆向きに回動する刈刃によって効率よく細断して排出することができ、細断され排出された刈草を回収容器などに回収する際にも嵩張り少なく詰め込むことができて、回収作業の能率向上に有効となる。  
【発明を実施するための最良の形態】
【００１８】
図１に、本発明に係るモーアＭを装着した乗用型芝刈り機の全体側面図が、図２に、その全体平面図がそれぞれ示されている。この乗用型芝刈り機は、操向操作される前輪１と操向不能な後輪２を装備して後輪駆動型に構成された走行機体３の下部に、モーアＭがリンク機構４を介して平行昇降可能に吊り下げ連結された構造となっている。走行機体３の前部には縦軸型のエンジン５が搭載され、このエンジン５の下方に突出された出力軸６から取出された縦軸回転動力が、後輪２を装備した伝動ケース３１とモーアＭにそれぞれベルト伝達されるようになっている。
【００１９】
図２の平面図に示すように、前記モーアＭは、横長の長円形に形成されたデッキ７に縦軸駆動される２枚の刈刃８，９が左右並列して装備されたツインブレード構造となっており、デッキ７の上面左右に貫通装着された刈刃駆動軸１０，１１のデッキ内端部に各刈刃８，９が連結されている。刈刃８，９は、帯板状の鋼板素材における両端部の一側に切刃ａが形成されるとともに、両端部の他側に起風羽根ｂが折り上げ形成されたバーブレードが使用されている。
【００２０】
デッキ７の上面における左右中央の後方箇所に入力軸１２が設けられ、この入力軸１２に取り付けられた入力プーリ１３と、
エンジン５の出力軸６に取り付けられた出力プーリ１４とにベルト１５が巻回張設されている。入力軸１２に取り付けられた刈刃駆動プーリ１６、各刈刃駆動軸１０，１１に取り付けられた受動プーリ１７，１８、デッキ７に配備されたガイドプーリ１９およびテンションプーリ２０に亘って１本のベルト２１が巻回張設され、両刈刃８，９が互いに逆向きに回転駆動されるようになっている。両刈刃８，９の回転方向は、回転軸心ｐ，ｑより機体後方において両刈刃８，９の先端回動軌跡が互いに内向きに対向するよう設定されている。
【００２１】
モーアＭは、平面視において機体左側の刈刃８の回転軸心ｐが、機体右側の刈刃９の回転軸心ｑよりも前方に位置するように少し傾斜して配備され、両刈刃８，９の先端回動軌跡を前後に少し重複させることで、両刈刃８，９の間で刈り残しが発生しないように構成されている。
【００２２】
図３に示すように、デッキ７の内部における前方中央部と後方中央部には平面形状山形の前部バキュームプレート２２と後部バキュームプレート２３が装着され、刈刃８，９の先端回動軌跡に沿った略円形の切断室２４，２５が各刈刃８，９ごとに形成されている。前部バキュームプレート２２と後部バキュームプレート２３との頂部同士は間隔をもって対向され、両切断室２４，２５の間に刈草の流動通過を許容する開口２６が形成されている。
【００２３】
図４の縦断側面図に示すように、各切断室２４，２５における周壁ｓと上壁ｕとが、内方下方に向けて凹入湾曲された断面円弧状のコーナー案内面ｃで接続されている。図３に示すように、機体左側に位置する切断室２４において、後部バキュームプレート２３によって形成される周壁ｓの前記開口２６に臨む周方向端部に、機体左側の刈刃８で生起された切断風にのって流動する刈草を機体右側の切断室２５に導く周部案内面ｇが直線状に形成されるとともに、この周部案内面ｇの延長線が機体右側の刈刃９の回転軸心ｑの近くに向かうよう設定されている。
【００２４】
機体右側の切断室２５における横外方箇所に、蓋カバー２７で閉塞された刈草排出口２８が形成されており、この刈草排出口２８を閉塞した状態が、刈り取った刈草を切断室２４，２５で持ち回る間に繰り返し細断して刈り跡に放置してゆくマルチング仕様となる。蓋カバー２７を取外して刈草排出口２８を開放することで、刈草を刈草排出口２８に導いて機体右方に排出するサイドディスチャージ仕様となる。
【００２５】
マルチング仕様においては、各切断室２４，２５で切断された刈草は刈刃８，９の回転によって持ち回り回動されながら繰り返し細断される。この場合、刈刃８，９によって生起された切断風にのった刈草は周壁ｓに沿って周方向に流動しながらコーナー案内面ｃに案内されて上壁に向かい、失速して落下し再び刈刃８，９の切断作用を受ける。
【００２６】
機体左側の切断室２４を回動する刈草の一部は周部案内面ｇに沿って開口２６に導かれ、機体右側の切断室２５に流入し、刈刃９の切断作用を受ける。この場合、周部案内面ｇが刈刃９の回転軸心「ｑ」の近くに向けられているので、切断室２５に流入した刈草は刈刃９の回動方向と略直交するように流動し、切断室２５を流動する切断風および刈草にぶつかって失速するとともに、刈刃９による切断作用を効率よく受ける。
【００２７】
蓋カバー２７を取外して刈草排出口２８を開放したサイドディスチャージ仕様においては、機体右側の切断室２５の刈草は機体前側の周壁ｓに沿って流動した後、刈草排出口２８から機体右側に排出される。機体左側の切断室２４の刈草は後側の周壁ｓに沿って流動する間に開口２６を通って機体右側の切断室２５に流入し、刈刃９の切断風に乗って刈草排出口２８から排出される。このサイドディスチャージ仕様においては、デッキ７の右端に起伏揺動可能に装着されている排出カバー２９を刈草排出口２８の上方に張り出した姿勢に切換えておくことで、刈草排出口２８から排出された刈草を上方に飛散させることなく地上に案内することができる。
【００２８】
〔他の実施例〕
（１）図５に示すように、周壁ｓと上壁ｕとを接続するコーナー案内面ｃを斜め下方に向かう直線状の傾斜面で構成することもできる。
（２）図６に示すように、前記デッキ７を、周壁ｓと上壁ｕとが直角に連なる断面形状に形成し、その角部に樹脂材などからなるバッフル部材３０を取り付けて内方下方に向かうコーナー案内面ｃを形成することもできる。
【００２９】
（３）図７に示すように、後部バキュームプレート２３によって形成される周壁ｓの前記開口２６に臨む周方向端部に、機体左側の刈刃８で飛散される刈草を機体右側の切断室２５に導く周部案内面ｇと、機体右側の刈刃９で飛散される刈草を機体左側の切断室２４に導く周部案内面ｇを形成するとともに、各周部案内面ｇの延長線が刈刃９，８の回転軸心ｑ，ｐの近くに向かうよう設定して、両切断室２４，２５での刈草相互流動を促進させて細断効率を高めるよう構成することもできる。
【００３０】
（４）図８に示すように、右側の切断室２５から左側の切断室２４への刈草流動を促す周部案内面ｇだけを備えた形態で実施することもできる。
【００３１】
（５）刈草排出口２８を備えないマルチング専用の仕様に構成して実施することもできる。
【００３２】
（６）本発明を、縦軸駆動される３枚の刈刃を左右に並列したモーアに適用して、隣接する２枚の刈刃について上記構成を導入した形態で実施することもできる。
【図面の簡単な説明】
【００３３】
【図１】乗用型芝刈り機の全体側面図
【図２】モーアの平面図
【図３】モーアの横断平面図
【図４】モーアの縦断側面図
【図５】モーアの別の実施例を示す縦断側面図
【図６】モーアの更に別の実施例を示す縦断側面図
【図７】モーアのその他の実施例を示す横断平面図
【図８】モーアのその他の実施例を示す横断平面図
【符号の説明】
【００３４】
７              デッキ
８              刈刃
９              刈刃
２４            切断室
２５            切断室
２６            開口
２８            刈草排出口
ｃ              コーナー案内面
ｇ              周部案内面
ｓ              周壁
ｕ              上壁
【図１】
2007330170.tif 000003
【図２】
2007330170.tif 000004
【図３】
2007330170.tif 000005
【図４】
2007330170.tif 000006
【図５】
2007330170.tif 000007
【図６】
2007330170.tif 000008
【図７】
2007330170.tif 000009
【図８】
2007330170.tif 000010